(57)【特許請求の範囲】
【請求項１】
次の構成要件（Ａ01）〜（Ａ04）を備えたことを特徴とする画像形成装置、
（Ａ01）回転移動する像担持体表面の静電潜像を現像する現像領域に現像剤を担持して搬送する現像ロールおよび前記現像剤を収容する現像容器と、現像容器に設けた現像剤補給口と、補給用回転方向への回転時に前記現像剤補給口に補給用現像剤を搬送する現像剤補給用回転部材と、前記現像剤補給用回転部材の回転軸と共に回転する現像器側現像剤補給ギヤとを有する複数の現像器、
（Ａ02）前記複数の各現像器を支持し且つ支持した現像器が現像動作を行う現像位置と現像位置から離れた離隔位置との間で前記各現像器を移動させる現像器支持部材、
（Ａ03）前記現像位置に停止した現像器の現像器側現像剤補給ギヤと噛み合う位置に保持されたフレーム側現像剤補給ギヤ、
（Ａ04）前記現像器支持部材の移動により前記現像器が現像位置から離れるときに前記フレーム側現像剤補給ギヤに噛み合っている前記現像器側現像剤補給ギヤが前記フレーム側現像剤補給ギヤの抵抗により現像剤補給動作時と逆方向に回転するように支持された前記現像器側現像剤補給ギヤ。
【請求項２】
次の構成要件（Ａ01），（Ａ02），（Ａ05），（Ａ06）を備えたことを特徴とする画像形成装置、
（Ａ01）回転移動する像担持体表面の静電潜像を現像する現像領域に現像剤を担持して搬送する現像ロールおよび前記現像剤を収容する現像容器と、現像容器に設けた現像剤補給口と、補給用回転方向への回転時に前記現像剤補給口に補給用現像剤を搬送する現像剤補給用回転部材と、前記現像剤補給用回転部材の回転軸と共に回転する現像器側現像剤補給ギヤとを有する複数の現像器、
（Ａ02）前記複数の各現像器を支持し且つ支持した現像器が現像動作を行う現像位置と現像位置から離れた離隔位置との間で前記各現像器を移動させる現像器支持部材、
（Ａ05）前記現像位置に停止した現像器が前記現像位置から離れて移動するときにその現像器の現像器側現像剤補給ギヤが接触する位置に保持されたフレーム側抵抗部材、
（Ａ06）前記現像器支持部材の移動により前記現像器が現像位置から離れるときに前記フレーム側抵抗部材に接触する前記現像器側現像剤補給ギヤが前記フレーム側抵抗部材の抵抗により現像剤補給動作時と逆方向に回転するように支持された前記現像器側現像剤補給ギヤ。
【発明の詳細な説明】
【０００１】
【発明の属する技術分野】
本発明は、像担持体表面に形成された静電潜像をトナー像に現像する現像器を有する電子写真複写機やプリンタ等の画像形成装置に関し、特に、像担持体表面に対向する現像位置に複数の現像器を順次移動させて、前記静電潜像をトナー像に現像する移動式の現像装置を有する画像形成装置に関する。
前記現像器を現像位置と前記現像位置から離れた離隔位置との間で移動させる移動式の現像装置としては、像担持体周囲に配置した複数の現像器を順次現像位置に移動させる移動式現像装置や、複数の現像器を支持して順次現像位置に回転移動させるロータリ式現像装置等が知られている。
【０００２】
【従来の技術】
前記移動式の現像装置の現像器として、従来次の構成要件（１）〜（４）を備えたものが知られている。
（１）回転移動する像担持体表面の静電潜像を現像する現像領域に現像剤を担持して搬送する現像ロールおよび前記現像剤を収容する現像容器、
（２）前記現像容器に設けた現像剤補給口、
（３）補給用回転方向への回転時に前記現像剤補給口に補給用現像剤を搬送する現像剤補給用回転部材、
（４）前記現像剤補給用回転部材の回転軸と共に回転する現像器側現像剤補給ギヤ。
【０００３】
前記現像器を複数設けたロータリー式の現像装置では、複数の現像器は、回転移動する現像器支持部材に支持され、現像器支持部材の回転、停止により、像担持体表面の静電潜像を現像する現像位置に順次回転移動して、停止する。
前記各現像器の現像器側現像剤補給ギヤは、現像器が現像位置に停止したときにフレーム側現像剤補給ギヤと噛み合って、フレーム側現像剤補給ギヤから補給用回転方向の回転力が伝達される。前記回転力が伝達されたときに、現像剤補給用回転部材は、現像容器の現像剤補給口に補給用現像剤を搬送する。
なお、前記現像容器の現像剤補給口に搬送される補給用現像剤は、各現像器に装着された現像剤カートリッジまたは本体フレームに支持された現像剤補給容器等から補給される。
現像容器の現像剤補給口に搬送された補給用現像剤は、前記現像剤補給口から現像容器内に補給される。
【０００４】
【発明が解決しようとする課題】
前記ロータリ式の現像装置を含む移動式の現像装置では、現像位置の現像器の現像剤補給口の周囲には補給用現像剤が搬送されて溜まっている。その状態で現像器が現像位置から移動するとき、前記現像剤補給口の周囲に溜まっていた補給用現像剤が現像剤補給口から現像容器内にこぼれ落ちて（流入して）しまう。特に高速の画像形成装置では、前記現像器の現像位置からの移動が急激であり、前記現像剤補給口周囲に溜まっていた現像剤が多量に現像容器内に流入し易い。
この場合、現像容器内に必要な補給量以上の現像剤が流入することとなり、現像容器内の現像剤量が必要以上に増加してしまう。この場合、現像容器内のトナー濃度が上昇し、適切なトナー像濃度（画像濃度）を維持できなくなるという問題点が発生する。
【０００５】
本発明は前述の事情（及び検討結果）に鑑み、下記（Ｏ01）の記載内容を課題とする。
（Ｏ01）現像器が現像位置と離隔位置との間で移動する移動式現像装置において、現像位置から離隔位置に移動するときに、現像剤補給口から現像容器内への現像剤のこぼれ落ち（流入）が発生しないようにすること。
【０００６】
【課題を解決するための手段】
次に、前記課題を解決した本発明を説明するが、本発明の要素には、後述の実施例の要素との対応を容易にするため、実施例の要素の符号をカッコで囲んだものを付記する。なお、本発明を後述の実施例の符号と対応させて説明する理由は、本発明の理解を容易にするためであり、本発明の範囲を実施例に限定するためではない。
【０００７】
（第１発明）
前記課題を解決するために、第１発明の画像形成装置は、下記の要件（Ａ01）〜（Ａ04）を備えたことを特徴とする。
（Ａ01）回転移動する像担持体（ＰＲ）表面の静電潜像を現像する現像領域（Ｑ２）に現像剤を担持して搬送する現像ロール（Ｒ０）および前記現像剤を収容する現像容器（Ｖ）と、現像容器（Ｖ）に設けた現像剤補給口（４１）と、補給用回転方向への回転時に前記現像剤補給口（４１）に補給用現像剤を搬送する現像剤補給用回転部材（Ｒ３）と、前記現像剤補給用回転部材（Ｒ３）の回転軸（Ｒ３a）と共に回転する現像器側現像剤補給ギヤ（Ｇ１４）とを有する複数の現像器（ＧＹ，ＧＭ，ＧＣ，ＧＫ）、
（Ａ02）前記複数の各現像器（ＧＹ，ＧＭ，ＧＣ，ＧＫ）を支持し且つ支持した現像器（ＧＹ，ＧＭ，ＧＣ，ＧＫ）が現像動作を行う現像位置と現像位置から離れた離隔位置との間で前記各現像器（ＧＹ，ＧＭ，ＧＣ，ＧＫ）を移動させる現像器支持部材（Ｇａ，１〜４）、
（Ａ03）前記現像位置に停止した現像器（ＧＹ，ＧＭ，ＧＣ，ＧＫ）の現像器側現像剤補給ギヤ（Ｇ１４）と噛み合う位置に保持されたフレーム側現像剤補給ギヤ（Ｇ５）、
（Ａ04）前記現像器支持部材（Ｇａ，１〜４）の移動により前記現像器（ＧＹ，ＧＭ，ＧＣ，ＧＫ）が現像位置から離れるときに前記フレーム側現像剤補給ギヤ（Ｇ５）に噛み合っている前記現像器側現像剤補給ギヤ（Ｇ１４）が前記フレーム側現像剤補給ギヤ（Ｇ５）の抵抗により現像剤補給動作時と逆方向に回転するように支持された前記現像器側現像剤補給ギヤ（Ｇ１４）。
【０００８】
（第１発明の作用）
前記構成を備えた第１発明の画像形成装置では、複数の各現像器（ＧＹ，ＧＭ，ＧＣ，ＧＫ）を支持する現像器支持部材（Ｇａ，１〜４）は、支持した現像器（ＧＹ，ＧＭ，ＧＣ，ＧＫ）が現像動作を行う現像位置と現像位置から離れた離隔位置との間で前記各現像器（ＧＹ，ＧＭ，ＧＣ，ＧＫ）を移動させる。
前記現像位置に移動した現像器（ＧＹ，ＧＭ，ＧＣ，ＧＫ）の現像ロール（Ｒ０）は、現像容器（Ｖ）に収容された現像剤を現像領域（Ｑ２）に搬送し、回転移動する像担持体（ＰＲ）表面の静電潜像を現像する。
複数の各現像器（ＧＹ，ＧＭ，ＧＣ，ＧＫ）は、現像器側現像剤補給ギヤ（Ｇ１４）を有しており、各現像器（ＧＹ，ＧＭ，ＧＣ，ＧＫ）の現像器側現像剤補給ギヤ（Ｇ１４）は、現像器（ＧＹ，ＧＭ，ＧＣ，ＧＫ）が前記現像位置に停止した時にフレーム側現像剤補給ギヤ（Ｇ５）と噛み合う。
前記フレーム側現像剤補給ギヤ（Ｇ５）から現像器側現像剤補給ギヤ（Ｇ１４）に補給用回転方向の回転力が伝達されると、現像剤補給用回転部材（Ｒ３）が回転し、現像器（ＧＹ，ＧＭ，ＧＣ，ＧＫ）の現像剤補給口（４１）に補給用現像剤が搬送される。現像剤補給口（４１）に搬送された現像剤は現像剤補給口（４１）から現像容器（Ｖ）内に流入し、補給される。
【０００９】
現像動作の終了時にフレーム側現像剤補給ギヤ（Ｇ５）が停止した状態で、前記現像器支持部材（Ｇａ，１〜４）の移動に伴って前記現像器（ＧＹ，ＧＭ，ＧＣ，ＧＫ）が現像位置から離れるとき、前記フレーム側現像剤補給ギヤ（Ｇ５）に噛み合っている前記現像器側現像剤補給ギヤ（Ｇ１４）が前記フレーム側現像剤補給ギヤ（Ｇ５）の抵抗により現像剤補給動作時と逆方向に回転する。
このとき、現像剤補給用回転部材（Ｒ３）は現像剤補給口（４１）周囲の現像剤を現像剤補給時と逆方向に搬送する。このため、現像剤補給口（４１）周囲に溜まっていた現像剤が現像剤補給口（４１）から離れるので、現像器（ＧＹ，ＧＭ，ＧＣ，ＧＫ）の現像位置（Ｐ１）からの移動時に現像剤補給口（４１）周囲の現像剤が現像剤補給口（４１）から現像容器（Ｖ）内へこぼれ落ちる（流入する）のを防止することができる。
【００１０】
（第２発明）
前記課題を解決するために、第２発明の画像形成装置は、下記の要件（Ａ01）（Ａ02），（Ａ05），（Ａ06）を備えたことを特徴とする。
（Ａ01）回転移動する像担持体（ＰＲ）表面の静電潜像を現像する現像領域（Ｑ２）に現像剤を担持して搬送する現像ロール（Ｒ０）および前記現像剤を収容する現像容器（Ｖ）と、現像容器（Ｖ）に設けた現像剤補給口（４１）と、補給用回転方向への回転時に前記現像剤補給口（４１）に補給用現像剤を搬送する現像剤補給用回転部材（Ｒ３）と、前記現像剤補給用回転部材（Ｒ３）の回転軸と共に回転する現像器側現像剤補給ギヤ（Ｇ１４）とを有する複数の現像器（ＧＹ，ＧＭ，ＧＣ，ＧＫ）、
（Ａ02）前記複数の各現像器（ＧＹ，ＧＭ，ＧＣ，ＧＫ）を支持し且つ支持した現像器（ＧＹ，ＧＭ，ＧＣ，ＧＫ）が現像動作を行う現像位置と現像位置から離れた離隔位置との間で前記各現像器（ＧＹ，ＧＭ，ＧＣ，ＧＫ）を移動させる現像器支持部材（Ｇａ，１〜４）、
（Ａ05）前記現像位置に停止した現像器（ＧＹ，ＧＭ，ＧＣ，ＧＫ）が前記現像位置から離れて移動するときにその現像器（ＧＹ，ＧＭ，ＧＣ，ＧＫ）の現像器側現像剤補給ギヤ（Ｇ１４）が接触する位置に保持されたフレーム側抵抗部材（５）、
（Ａ06）前記現像器支持部材（Ｇａ，１〜４）の移動により前記現像器（ＧＹ，ＧＭ，ＧＣ，ＧＫ）が現像位置から離れるときに前記フレーム側抵抗部材（５）に接触する前記現像器側現像剤補給ギヤ（Ｇ１４）が前記フレーム側抵抗部材（５）の抵抗により現像剤補給動作時と逆方向に回転するように支持された前記現像器側現像剤補給ギヤ（Ｇ１４）。
【００１１】
（第２発明の作用）
前記構成を備えた第２発明の画像形成装置では、現像動作の終了時に現像位置（Ｐ１）から移動した現像器（ＧＹ，ＧＭ，ＧＣ，ＧＫ）の現像器側現像剤補給ギヤ（Ｇ１４）はフレーム側抵抗部材（５）に摩擦接触する。このとき、前記現像器側現像剤補給ギヤ（Ｇ１４）が前記フレーム側抵抗部材（５）の摩擦抵抗により現像剤補給動作時と逆方向に回転する。
このとき、現像剤補給用回転部材（Ｒ３）は現像剤補給口（４１）周囲の現像剤を現像剤補給時と逆方向に搬送する。このため、現像剤補給口（４１）周囲に溜まっていた現像剤が現像剤補給口（４１）から離れるので、現像器（ＧＹ，ＧＭ，ＧＣ，ＧＫ）の現像位置（Ｐ１）からの移動時に現像剤補給口（４１）周囲の現像剤が現像剤補給口（４１）から現像容器（Ｖ）内へこぼれ落ちる（流入する）のを防止することができる。
【００１２】
【実施の形態】
（第１発明の実施の形態１）
第１発明の画像形成装置の実施の形態１は、前記第１発明において次の構成要件（Ａ02′），（Ａ04′）を備えたことを特徴とする。
（Ａ02′）固定フレームにより回転可能に支持された回転軸と前記回転軸の周囲に前記複数の現像器（ＧＹ，ＧＭ，ＧＣ，ＧＫ）を装着する現像器装着部（１ａ，２ａ）とを有し、前記複数の各現像器（ＧＹ，ＧＭ，ＧＣ，ＧＫ）が現像動作を行う現像位置に順次停止するように回転する前記現像器支持部材（Ｇａ，１〜４）、
（Ａ04′）前記現像器支持部材（Ｇａ，１〜４）の回転により前記現像器（ＧＹ，ＧＭ，ＧＣ，ＧＫ）が現像位置から離れるときに前記フレーム側現像剤補給ギヤ（Ｇ５）に噛み合っている前記現像器側現像剤補給ギヤ（Ｇ１４）が前記フレーム側現像剤補給ギヤ（Ｇ５）の抵抗により現像剤補給動作時と逆方向に回転するように支持された前記現像器側現像剤補給ギヤ（Ｇ１４）。
【００１３】
（第１発明の実施の形態１の作用）
前記構成を備えた第１発明の画像形成装置の実施の形態１では、固定フレームにより回転可能に支持された回転軸と前記回転軸の周囲に前記複数の現像器（ＧＹ，ＧＭ，ＧＣ，ＧＫ）を装着する現像器装着部（１ａ，２ａ）とを有する現像器支持部材（Ｇａ，１〜４）は、前記複数の各現像器（ＧＹ，ＧＭ，ＧＣ，ＧＫ）が現像動作を行う現像位置に順次停止するように回転する。
前記現像器支持部材（Ｇａ，１〜４）の回転により前記現像器（ＧＹ，ＧＭ，ＧＣ，ＧＫ）が現像位置から離れるときに前記フレーム側現像剤補給ギヤ（Ｇ５）に噛み合っている前記現像器側現像剤補給ギヤ（Ｇ１４）は、前記フレーム側現像剤補給ギヤ（Ｇ５）の抵抗により現像剤補給動作時と逆方向に回転する。
【００１４】
（第２発明の実施の形態１）
第２発明の画像形成装置の実施の形態１は、前記第２発明において次の構成要件（Ａ02′），（Ａ06′）を備えたことを特徴とする。
（Ａ02′）固定フレームにより回転可能に支持された回転軸と前記回転軸の周囲に前記複数の現像器（ＧＹ，ＧＭ，ＧＣ，ＧＫ）を装着する現像器装着部（１ａ，２ａ）とを有し、前記複数の各現像器（ＧＹ，ＧＭ，ＧＣ，ＧＫ）が現像動作を行う現像位置に順次停止するように回転する前記現像器支持部材（Ｇａ，１〜４）、
（Ａ06′）前記現像器支持部材（Ｇａ，１〜４）の移動により前記現像器（ＧＹ，ＧＭ，ＧＣ，ＧＫ）が現像位置から離れるときに前記フレーム側抵抗部材（５）に接触する前記現像器側現像剤補給ギヤ（Ｇ１４）が前記フレーム側抵抗部材（５）の抵抗により現像剤補給動作時と逆方向に回転するように支持された前記現像器側現像剤補給ギヤ（Ｇ１４）。
【００１５】
（第２発明の実施の形態１の作用）
前記構成を備えた第２発明の画像形成装置の実施の形態１では、固定フレームにより回転可能に支持された回転軸と前記回転軸の周囲に前記複数の現像器（ＧＹ，ＧＭ，ＧＣ，ＧＫ）を装着する現像器装着部（１ａ，２ａ）とを有する現像器支持部材（Ｇａ，１〜４）は、前記複数の各現像器（ＧＹ，ＧＭ，ＧＣ，ＧＫ）が現像動作を行う現像位置に順次停止するように回転する。
前記現像器支持部材（Ｇａ，１〜４）の回転により前記現像器（ＧＹ，ＧＭ，ＧＣ，ＧＫ）が現像位置から離れたときに前記現像器側現像剤補給ギヤ（Ｇ１４）は、フレーム側抵抗部材（５）に摩擦接触し、フレーム側抵抗部材（５）の抵抗により現像剤補給動作時と逆方向に回転する。
【００１６】
（実施例）
次に図面を参照しながら、本発明の現像装置の実施の形態の具体例（すなわち、実施例）を説明するが、本発明は以下の実施例に限定されるものではない。
なお、以後の説明の理解を容易にするために、図面において、前後方向をＸ軸方向、右左方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１７】
（実施例１）
図１は本発明の実施例の画像形成装置の正断面図である。
図１において、画像形成装置Ｕは本体Ｕ１および本体Ｕ１の上面のプラテンガラスＰＧ上に置かれた自動原稿搬送装置Ｕ2を有している。
前記自動原稿搬送装置Ｕ2は、複写しようとする複数の原稿Ｇiが重ねて載置される原稿給紙トレイＴＧ１を有している。前記原稿給紙トレイＴＧ１に載置された複数の各原稿Ｇiは順次プラテンガラスＰＧ上の複写位置を通過して原稿排紙トレイＴＧ２に排出されるように構成されている。前記自動原稿搬送装置Ｕ2は、その後端部（−Ｘ端部）に設けた左右方向に延びるヒンジ軸（図示せず）により前記複写機Ｕ１に対して回動可能であり、原稿Ｇiを作業者が手でプラテンガラスＰＧ上に置く場合に上方に回動される。
【００１８】
図１において、前記画像形成装置本体Ｕ１は、ユーザがコピースタート等の作動指令信号を入力操作するＵＩ（ユーザインタフェース）を有している。
また、前記画像形成装置本体Ｕ１は、前記プラテンガラスＰＧの下方に順次配置された画像読取部としてのＩＩＴ（イメージインプットターミナル）、及び画像記録用作動部としてのＩＯＴ（イメージアウトプットターミナル）を有している。
前記ＩＩＴはプラテンガラスＰＧの下方に、露光走査光学系Ａを有している。露光走査光学系Ａは、プラテンガラスＰＧ上の原稿Ｇiからの反射光（原稿反射光）をＣＣＤ（固体撮像装置）に収束させる機能を有している。前記ＣＣＤは、その撮像面上に収束された原稿反射光をＲ（赤）、Ｇ（緑）、Ｂ（青）の電気信号に変換する。また、ＩＩＴのＩＰＳ（イメージプロセッシングシステム）は、ＣＣＤから入力される前記ＲＧＢの電気信号をＫ（黒）、Ｙ（イエロー）、Ｍ（マゼンタ）、Ｃ（シアン）の画像データに変換して一時的に記憶し、前記画像データを所定のタイミングで潜像形成用の画像データとしてレーザ駆動回路ＤＬに出力する。前記ＩＰＳ、レーザ駆動回路ＤＬ、電源回路Ｅ等の動作はコントローラＣにより制御される。
【００１９】
レーザ駆動回路ＤＬは、入力された画像データに応じてレーザ駆動信号をＲＯＳ（潜像形成装置）に出力する。
感光体ドラムにより構成される像担持体ＰＲは矢印Ｙa方向に回転しており、その表面は、帯電器ＣＲにより一様に帯電された後、潜像書込位置Ｑ１において前記ＲＯＳ（潜像形成装置）のレーザビームＬにより露光走査されて静電潜像が形成される。フルカラー画像を形成する場合は、Ｙ（イエロー），Ｍ（マゼンタ），Ｃ（シアン），Ｋ（黒）の４色の画像に対応した静電潜像が順次形成され、モノクロ画像の場合はＫ（黒）画像に対応した静電潜像のみが形成される。
【００２０】
前記静電潜像が形成された像担持体ＰＲ表面は回転移動して現像領域Ｑ２、１次転写領域Ｑ３を順次通過する。
ロータリ式の現像装置Ｇは、回転軸Ｇａの回転に伴って前記現像領域Ｑ２に順次回転移動するＹ（イエロー），Ｍ（マゼンタ），Ｃ（シアン），Ｋ（黒）の４色の現像器ＧＹ，ＧＭ，ＧＣ，ＧＫを有している。前記各色の現像器ＧＹ，ＧＭ，ＧＣ，ＧＫは、前記現像領域Ｑ２に現像剤を搬送する現像ロールＲ０を有しており、現像領域Ｑ２を通過する像担持体ＰＲ上の静電潜像をトナー像に現像する。
【００２１】
前記像担持体ＰＲの下方に配置されたベルトモジュールＢＭは、１次転写ロールＴ1、バックアップロールＴ２aおよびベルト駆動ロールを含む複数のベルト支持ロールと、複数のベルト支持ロールにより回転可能に支持される中間転写ベルトＢとを有している。
【００２２】
フルカラー画像を形成する場合、潜像書込位置Ｑ１において第１色目の静電潜像が形成され、現像領域Ｑ２において１色目のトナー像Ｔｎが形成される。このトナー像Ｔｎは、１次転写領域Ｑ３を通過する際に、１次転写ロールＴ1によって中間転写ベルトＢ上に静電的に１次転写される。その後同様にして、第１色目のトナー像Ｔｎを担持した中間転写ベルトＢ上に、第２色目、第３色目、第４色目のトナー像Ｔｎが順次重ねて１次転写され、最終的にフルカラーの多重トナー像が中間転写ベルトＢ上に形成される。
単色のモノカラー画像を形成する場合には１個の現像器のみを使用し、単色トナー像が中間転写ベルトＢ上に１次転写される。
１次転写後、像担持体ＰＲ表面は、残留トナーが像担持体クリーナＣＬpによりクリーニングされる。
【００２３】
前記バックアップロールＴ２aの下方には、２次転写ロールＴ２bおよび２次転写ロールクリーナＣＬrとが配置されている。２次転写ロールＴ２bは図示しない２次転写ロール移動装置により、前記中間転写ベルトＢを挟んで前記バックアップロールＴ２aに圧接する位置と、離隔した位置との間で離接移動（離隔位置・圧接位置間の移動）が可能に支持されている。前記２次転写ロールＴ２bは、カラー画像が形成される場合には最終色の未定着トナー像が中間転写ベルトＢに１次転写されるまで、中間転写ベルトＢから離隔している。なお、前記２次転写ロールクリーナＣＬrは、前記２次転写ロールＴ２bと一緒に離接移動を行う。前記２次転写ロールＴ２bおよび前記中間転写ベルトＢの接触領域により２次転写領域Ｑ４が形成されている。
前記バックアップロールＴ２aにはコンタクトロールＴ２cが当接しており、前記ロールＴ２a〜Ｔ２cにより２次転写器Ｔ２が構成されている。
【００２４】
給紙トレイＴＲ１に収容された記録シートＳは、所定のタイミングでピックアップロールＲｐにより取り出され、さばきロールＲｓで１枚ずつ分離されて、搬送ロールＲａによりレジロールＲｒに搬送される。前記１次転写された多重トナー像または単色トナー像が２次転写領域Ｑ４に移動するのにタイミングを合わせて、前記記録シートＳは、レジロールＲｒから２次転写領域Ｑ４に搬送される。
前記２次転写領域Ｑ４において前記２次転写器Ｔ２は、中間転写ベルトＢ上のトナー像を記録シートＳに静電的に２次転写する。２次転写後の中間転写ベルトＢはベルトクリーナＣＬbにより残留トナーが除去される。また、前記２次転写ロールＴ２bは２次転写ロールクリーナＣＬrにより表面付着トナーが回収される。
【００２５】
トナー像が２次転写された前記記録シートＳは、定着装置Ｆの加熱ロールＦｈおよび加圧ロールＦｐの圧接領域である定着領域Ｑ５に搬送され、定着領域Ｑ５を通過する際に定着装置Ｆにより加熱定着される。トナー像が定着された記録シートＳは、記録シート排出トレイＴＲｈに排出される。
前記符号Ｒｐ，Ｒｓ，Ｒｒ，Ｒａ等で示された要素によりシート搬送装置ＳＨが構成されている。
【００２６】
（現像装置Ｇ）
図２は前記図１に示す実施例１で使用するロータリ式の現像装置が現像位置に停止した状態の拡大正面断面図である。
図３は同実施例１の現像装置の平面図である。
図４は現像位置に停止した現像器の現像器側現像剤補給ギヤと噛み合う位置に保持されたフレーム側現像剤補給ギヤおよび現像位置から移動するときに現像器の現像器側現像剤補給ギヤと摩擦接触する摩擦部材とを示す図で、前記図３のIＶ−IＶ線断面図である。
図５は同実施例１で使用する現像容器とその現像容器に着脱自在に装着される現像剤カートリッジを示す図で、図５Ａは分解斜視図、図５Ｂは前記図５ＡのＶＢ−ＶＢ線断面図である。
図６は現像剤カートリッジの端面図である。
図７は現像容器に設けた現像剤カートリッジ装着部の要部説明図である。
図８は  現像剤カートリッジを現像容器の現像剤カートリッジ装着部に装着する状態の説明図で、図８Ａは図９ＡのＶIIIＡ−ＶIIIＡ線断面図で、図８Ｂは前記図８Ａの矢印ＶIIIＢで示す部分の拡大図である。
【００２７】
図９は現像器の説明図で、図９Ａは前記図５ＡのIＸＡ−IＸＡ線断面図、図９Ｂは前記図３のIＸＢ−IＸＢ線断面図である。
図１０は現像剤カートリッジを現像容器の現像剤カートリッジ装着部に挿入したときの説明図で、図１０Ａは前記図５ＡのＸＡ−ＸＡ線断面図、図１０Ｂは図１０Ａの現像剤カートリッジを時計方向に回転させた状態を示す図である。
図１１は現像剤カートリッジを現像容器の現像剤カートリッジ装着部に挿入したときの説明図で、図１１Ａは前記図５ＡのＸIＡ−ＸIＡ線断面図、図１１Ｂは図１１Ａの現像剤カートリッジを時計方向に回転させた状態を示す図である。
図１２は前記図９ＡのＸII−ＸII線断面図である。
【００２８】
図１〜図２において、現像領域Ｑ２において像担持体ＰＲに対向して配置された現像装置Ｇは、Ｙ（イエロー）、Ｍ（マゼンタ）、Ｃ（シアン）、Ｋ（黒）の各トナーおよびキャリアを有する現像器ＧＹ，ＧＭ，ＧＣ，ＧＫを有している。
前記各現像器ＧＹ，ＧＭ，ＧＣ，ＧＫは、図５に示すように、トナーおよびキャリアから成る２成分現像剤を収容する現像容器Ｖおよび前記現像容器Ｖに着脱自在に装着される略円筒状の現像剤カートリッジＫを有している。
各現像器ＧＹ，ＧＭ，ＧＣ，ＧＫは、現像装置Ｇの停止時には図２に示すＹ（イエロー）の現像器の現像位置から３１５°（−４５°）反時計方向に回転した位置（図示せず）で停止しており、作動時には反時計方向に回転移動して、順次、図２に示す現像位置（第１停止位置）Ｐ１、第２停止位置Ｐ２、第３停止位置Ｐ３、および第４停止位置Ｐ４に停止するように構成されている。
【００２９】
なお、本実施例１では、前記第１停止位置Ｐ１において現像剤カートリッジＫを現像容器Ｖに着脱可能に構成されている。
そして、詳細は後述するが、各現像器ＧＹ，ＧＭ，ＧＣ，ＧＫは、現像位置Ｐ１において現像動作を行うとともに現像剤の補給が行われるように構成されている。
【００３０】
図１〜５において、現像装置Ｇの回転軸Ｇａは、後側固定フレームＦ１（図３参照）および前側固定フレームＦ２に回転自在に支持されており、回転軸Ｇａの後端部に一体的に構成された角柱部１，前端部に一体的に構成された角柱部２、角柱部１，２の外側に固定された後側回転プレート３、前側回転プレート４を有している。前記各角柱部１，２は断面略方形（図２〜図３参照）であり、軸方向に延びる４つの側面を有している。そして、各側面にはそれぞれピン挿入孔（現像器装着部）１ａ，２ａが形成されている。前記ピン挿入孔１ａ，２ａは、後述の現像容器Ｖの突出ピンが挿入される孔であり、後述の現像容器Ｖを位置決め固定するために使用される孔である。
前記符号Ｇａ，１〜４等で示された要素により現像器支持部材（Ｇａ，１〜４）が構成されており、前記現像器支持部材（Ｇａ，１〜４）およびそれに着脱可能に装着される前記複数の各現像器ＧＹ，ＧＭ，ＧＣ，ＧＫにより、前記ロータリ式の現像装置Ｇが構成されている。
【００３１】
図３において、現像器支持部材（Ｇａ，１〜４）の回転軸Ｇａの後端部にはギヤＧ０が装着されており、ギヤＧ０はギヤＧ１に噛み合っている。ギヤＧ１は現像器支持部材回転駆動モータＭ１により回転駆動され、ギヤＧ１の回転により、前記ギヤＧ０および現像器支持部材（Ｇａ，１〜４）が回転するように構成されている。前記現像器支持部材（Ｇａ，１〜４）の回転により、図１〜図２に示すロータリ式の現像装置Ｇは回転する。各現像器ＧＹ，ＧＭ，ＧＣ，ＧＫは、画像形成装置Ｕの動作時には前記第１〜第４停止位置（Ｐ１〜Ｐ４）（図２参照）に順次回転停止し、待機時には図２に示す位置（Ｙ（イエロー）の現像器ＧＹが第１停止位置Ｐ１に停止した位置）の４５°手前の回転位置（図示せず）に停止する。
【００３２】
図３において、後側固定フレームＦ１には同軸のギヤＧ２、Ｇ３が回転可能に支持されており、ギヤＧ２は回転力伝達用のギヤＧ４に噛み合っている。また、後側固定フレームＦ１には、回転力が伝達されるギヤ（フレーム側現像剤補給ギヤ）Ｇ５が回転可能に支持されている。前記ギヤＧ４は現像ロール駆動モータＭ２により駆動され、前記ギヤＧ５は現像剤補給用モータＭ３により駆動される。図３、図４において、前記後側固定フレームＦ１に支持された前記フレーム側現像剤補給ギヤＧ５の下方にはロール形状のフレーム側抵抗部材５（図４参照）が支持されている。フレーム側抵抗部材５は大きなトルクが作用したときにのみ回転可能に支持されている。
【００３３】
図３において、前記前側固定フレームＦ２には、カートリッジ装着用開口Ｆ２aが設けられている。図３で左側（Ｙ側）のカートリッジ装着用開口Ｆ２aは、前記第１停止位置Ｐ１に停止した現像器ＧＹ，ＧＭ，ＧＣ，ＧＫの現像容器Ｖに現像剤カートリッジＫを着脱する際に使用される孔である。
また、前側回転プレート４には、前記各現像器ＧＹ，ＧＭ，ＧＣ，ＧＫに対応した４個のカートリッジ着脱用開口４ａが形成されている。
【００３４】
前記各現像器ＧＹ，ＧＭ，ＧＣ，ＧＫは構成が同一の現像容器Ｖ（図５参照）を有しており、各現像容器Ｖ内にはＹ（イエロー）、Ｍ（マゼンタ）、Ｃ（シアン）、Ｋ（黒）の色のトナーおよびキャリアから成る２成分現像剤が収容されている。前記現像容器Ｖには略円筒状の現像剤カートリッジＫが着脱可能に装着されるように構成されている。
【００３５】
（現像剤カートリッジＫ）
図５、図６、図８において現像剤カートリッジＫは円筒状のカートリッジ容器１１を有している。カートリッジ容器１１は、前端壁１２、後端壁１３、隔壁１４（図８参照）、前側（Ｘ側）の前側円筒壁１５および後側（−Ｘ側）の後側円筒壁１６を有している。図８において、前記前端壁１２、隔壁１４および前側円筒壁１５により現像剤回収室１１ａが形成され、前記後端壁１３、隔壁１４および後側円筒壁１６により補給用現像材収容室１１ｂが形成されている。現像剤回収室１１ａは最初は空であり、補給用現像材収容室１１ｂは最初は補給用現像剤（トナー濃度の高い２成分現像剤）が収容されている。
【００３６】
前記現像剤回収室１１ａを形成する前側円筒壁１５には、カートリッジ側現像剤回収口１５ａ（図８参照）および内部観察窓１５ｂ（図５Ｂ参照）が形成されている。前側円筒壁１５内周面には前記内部観察窓１５ｂに対向する位置に白色シート１５ｃが張り付けられている。前記白色シート１５ｃは、現像剤回収室１１ａ内部に現像剤が回収される前は、前記内部観察窓１５ｂの外部から入射した光の大部分を外部に反射するが、現像剤が回収された状態では現像剤によって汚れるため、外部への反射光量が大幅に減少する。
なお、前端壁１２に隣接する前側円筒壁１５の外周部には弾性変形可能な小さな被係止用突出部１５ｄが設けられている。この被係止用突出部１５ｄは現像剤カートリッジＫを現像容器Ｖに装着したとき、現像容器Ｖに対する装着位置を位置決め固定するために使用される。
図８において、前記前側円筒壁１５の外側面には前記カートリッジ側現像剤回収口１５ａを被覆する位置に、円周方向に沿うレール部材１７が固着されている。レール部材１７には前記カートリッジ側現像剤回収口１５ａと重なる位置に孔１７ａが形成されており、また、前後の両側辺には開閉蓋１８をガイドするためのガイド溝が形成されている。このレール部材１７には、開閉蓋１８が円周方向にスライド可能に支持されている。
【００３７】
後側円筒壁１６にはカートリッジ側連通口１６ａ（図８参照）が形成されている。図５Ａにおいて、前記後側円筒壁１６の外側面には前記カートリッジ側連通口１６ａ（図８参照）を被覆する位置に、前記図５、図８に示すレール部材１７および開閉蓋１８と同様のレール部材１９および開閉蓋２０が設けられている。なお、レール部材１９には、前記レール部材１７の孔１７ａ（図８参照）と同様の孔１９ａ（図示せず）が形成されている。
【００３８】
前記隔壁１４、および後端壁１３には回転軸（現像剤搬送用回転軸）２１が回転自在に支持されている。前記補給用現像材収容室１１ｂ内の前記回転軸２１にはカートリッジ容器内攪拌部材２２が装着されている。前記回転軸２１の後端には回転力被伝達部材２３が装着されている。
また前記前端壁１２の前面には取っ手２４が固着されている。
【００３９】
（現像器ＧＹ，ＧＭ，ＧＣ，ＧＫ）
各現像器ＧＹ，ＧＭ，ＧＣ，ＧＫの現像容器Ｖ（図５Ａ参照）は同一の構成であり、その外側面に前後一対の突出ピン２６（図５Ａ参照）を有している。前記一対の突出ピン２６，２６は、前記現像器支持部材（Ｇａ，１〜４）のピン挿入孔１ａ，２ａ（図３参照）に挿入され、現像容器Ｖを位置決め固定するために使用される。
また、前記現像容器Ｖは、前記円筒状の現像剤カートリッジＫを着脱自在に装着するためのカートリッジ装着部２７（図５、図８参照）を有している。
図５〜図６において、カートリッジ装着部２７は、前記円筒状の現像剤カートリッジＫが軸方向に挿入されたときに嵌合状態で挿入される形状を有している。図５において、カートリッジ装着部２７は、現像剤カートリッジＫの前後の円筒部材１５および１６の外側面に突出するレール部材１７および１９と開閉蓋１８および２０が挿入可能となるように、溝２８を有している。
【００４０】
また、カートリッジ装着部２７は前後両端部に円筒状内側面（図６参照）を有しているが、前後方向（Ｘ軸方向）の中間部に切除部２９（図５Ａ参照）が形成されている。前記切除部２９は、前記カートリッジ側現像剤回収口１５ａに接続する現像容器側現像剤回収口３０と、前記カートリッジ側連通口１６ａ（図８参照）に接続する現像容器側連通口３１とを整形したり、前記溝２８を整形したりする作業を容易に行えるようにするために設けられている。
図５Ａ、図７において、溝２８は、現像容器Ｖの前端から後方に延びて、前記現像容器側連通口３１後端（−Ｘ側の端）部分で終わっている。図５〜図７において、溝２８は、深い溝部分２８ａおよび浅い溝部分２８ｂを有している。前記深い溝部分２８ａは前記カートリッジ装着部２７に前記現像剤カートリッジＫを挿入したり抜き出したりする際に、前記開閉蓋１８，２０が通過する溝であり、浅い溝部分２８ｂは前記レール部材１７，１９が通過する溝である。
【００４１】
図５Ａにおいて、現像容器側現像剤回収口３０の外周部には前記浅い溝部分２８ｂと同じ深さの溝３０ａが形成されている。したがって、現像剤カートリッジＫをカートリッジ装着部２７に挿入した状態（図８の状態から更に後方に移動させた状態）で、図１０Ａにおいて現像剤カートリッジＫを反時計方向に回転させると、前記カートリッジ容器１１およびレール部材１７は、回転して図１０Ｂの位置に移動するが、開閉蓋１８は回転せずに元の位置に停止したままである。このため、図１０Ｂに示すように、カートリッジ側現像剤回収口１５ａの位置が現像容器側現像剤回収口３０の位置に移動し、前記両現像剤回収口１５aおよび３０は接続されるように構成されている。
【００４２】
前記現像容器側連通口３１（図５参照）の外周部も前記現像容器側現像剤回収口３０の外周部と同様に構成されており、現像剤カートリッジＫをカートリッジ装着部２７に挿入した状態（図１１Ａ参照）で、現像剤カートリッジＫを反時計方向に回転させると、前記カートリッジ容器１１およびレール部材１９は、回転して図１１Ｂの位置に移動するが、開閉蓋２０は回転せずに元の位置に停止したままである。このため、図１１Ｂに示すように、カートリッジ側連通口１６ａの位置が現像容器側連通口３１の位置に移動し、前記両連通口１６ａおよび３１は接続されるように構成されている。
【００４３】
図６において、前記カートリッジ装着部２７には、係止用凹部２７ａがカートリッジ装着部２７の円周方向に離れた２箇所に設けられている（１か所のみ図８に図示）。前記２箇所に設けた各係止用凹部２７ａは、現像剤カートリッジＫの前端部外周部に設けられた前記１５ｄを係止する部材であり、前記現像剤カートリッジＫがカートリッジ装着部２７に挿入された状態（図１０Ａ、図１１Ａ参照）およびその状態から反時計方向に回転された状態（図１０Ｂ、図１１Ｂ参照）でそれぞれ前記１５ｄを係止して、現像容器Ｖに対する現像剤カートリッジＫの装着位置を位置決め係止する。
【００４４】
図９Ａにおいて現像容器Ｖは、現像ロールＲ０を収容する現像ロール収容室３５、前記現像ロール収容室３５に隣接する第１の現像剤溜まり３６、前記第１の現像剤溜まり３６に隣接する第２の現像剤溜まり３７、および補給現像剤搬送孔３８を有している。
図９Ａ、図１２において、前記第１の現像剤溜まり３６および第２の現像剤溜まり３７の間にはそれらの両端部の接続部Ｆ以外の部分に仕切壁３９が設けられている。したがって図１２に示すように、第１の現像剤溜まり３６および第２の現像剤溜まり３７はその両端部Ｆ，Ｆにおいて接続している。前記第２現像材溜まり３７には、前記仕切壁３９により第１の現像材溜まり３６と隔てられている部分に、前記現像容器側現像剤回収口３０が接続されている。
前記現像ロール収容室３５内には前記現像ロールＲ０上の現像剤の層厚を規制するための層厚規制部材４０が配置されている。
【００４５】
図９Ａ、図１２に示す前記補給現像剤搬送孔３８は、図１２から分かるように、現像容器Ｖの前側部分にのみ形成されている。前記第１の現像剤溜まり３６には第１の現像容器内攪拌部材Ｒ１が配置され、前記第２の現像剤溜まり３７には第２の現像容器内攪拌部材Ｒ２が配置され、補給現像剤搬送孔３８には現像剤補給用回転部材Ｒ３（図９Ａ参照）が配置されている。前記第１および第２の現像容器内攪拌部材Ｒ１およびＲ２は回転軸回りに搬送用羽根が装着された従来公知の搬送部材が使用されている。前記第１および第２の現像容器内攪拌部材Ｒ１，Ｒ２により現像剤供給部材（Ｒ１＋Ｒ２）が構成されている。
【００４６】
また、前記補給現像剤搬送孔３８には、前記現像容器側連通口３１（図５Ａ、図１１、図１２参照）が連通している。また前記補給現像剤搬送孔３８には、前記第１および第２の現像剤溜まり３６および３７の前側の接続部（仕切壁３９の無い部分）に連通する現像剤補給口４１が設けられている。そして、現像容器側連通口３１（図５参照）から前記補給現像剤搬送孔３８に補給された現像剤は現像剤補給用回転部材Ｒ３により搬送されて前記現像剤補給口４１（図９Ａ、図１２参照）から前記第１および第２現像材溜まり３６，３７の接続部Ｆ（図１２参照）に供給されるようになっている。
【００４７】
図３、図８、図９Ｂ、図１２において、前記現像ロールＲ０の軸は、前記後側回転プレート３および前側回転プレート４によって回転自在に支持されており、またその軸の後端部（−Ｘ側端部）にはギヤＧ６が固着されている。前記第１および第２の現像容器内攪拌部材Ｒ１およびＲ２の軸にはその後端部（−Ｘ側端部）に互いに噛み合うギヤＧ７，Ｇ８が固着されており、前記ギヤＧ７およびギヤＧ６は互いに噛み合っている。図３において、後側回転プレート３には同軸のギヤＧ９およびＧ１０が回転可能に支持されており、ギヤＧ９は前記ギヤＧ６に噛み合っている。前記ギヤＧ１０は前記ギヤＧ３に噛み合っている。
したがって、現像ロール駆動モータＭ２（図３参照）から前記ギヤＧ４，Ｇ２，Ｇ３を介してギヤＧ１０に回転力が伝達されると、その回転力は順次ギヤＧ９、Ｇ６、Ｇ７、Ｇ８に伝達されて、現像ロールＲ０および現像容器内攪拌部材Ｒ１、Ｒ２が回転するように構成されている。前記現像容器内攪拌部材Ｒ１、Ｒ２は互いに逆方向に回転し、図９Ａ、図１２に示す前記第１および第２の現像剤溜まり３６および３７内で現像剤が循環するようになっている。
【００４８】
図８において、現像容器Ｖのカートリッジ装着部２７の後端（−Ｘ側の端）には回転力伝達部材４３が回転可能に支持されている。回転力伝達部材４３は、現像剤カートリッジＫが前記カートリッジ装着部２７に挿入され、装着された時に前記現像剤カートリッジＫの回転軸２１後端の回転力被伝達部材２３と自動的に連結される部材である。回転力伝達部材４３の軸４３ａには前記ギヤＧ９と噛み合うギヤＧ１１が支持されている。したがって、前記ギヤＧ９の回転時にギヤＧ１１が回転して現像剤カートリッジＫのカートリッジ容器内攪拌部材２２が回転するように構成されている。
【００４９】
図３、図９において、前記現像剤補給用回転部材Ｒ３の軸Ｒ３aには被駆動用のギヤＧ１２が固着されている。また図３において、後側回転プレート３には同軸のギヤＧ１３およびＧ１４が回転可能に支持されており、ギヤＧ１３は前記ギヤＧ１２に噛み合っている。前記各ギヤＧ１２〜Ｇ１４は現像器側現像剤補給ギヤとして構成されている。前記現像器側現像剤補給ギヤＧ１４は前記フレーム側現像剤補給ギヤギヤＧ５に噛み合っている。したがって、前記現像剤補給用モータＭ３の回転力が前記ギヤＧ５を介してギヤＧ１４に伝達されると、その回転力は順次ギヤＧ１３、Ｇ１２に伝達されて、補給現像剤搬送孔３８内の現像剤補給用回転部材Ｒ３が回転するように構成されている。
前記符号２６〜４３、Ｒ０〜Ｒ３、Ｇ６〜Ｇ１４等で示された要素により前記現像容器Ｖが構成されている。
【００５０】
図２において、現像器支持部材（Ｇａ，１〜４）（図３参照）が時計方向に回転して、現像器ＧＹ，ＧＭ，ＧＣ，ＧＫが第１停止位置（現像位置）Ｐ１に回転移動したとき、現像位置Ｐ１に停止した各現像器ＧＹ，ＧＭ，ＧＣ，ＧＫのギヤＧ１０およびＧ１４が、それぞれギヤＧ３およびＧ５に噛み合う。この状態で、現像ロールＲ０、現像容器内攪拌部材Ｒ１，Ｒ２、補給現像剤搬送部材Ｒ３、およびカートリッジ容器内攪拌部材２２の回転が可能となる。
【００５１】
（実施例１の作用）
前記現像容器Ｖ内へのトナーの補給および、現像容器Ｖ内の劣化した２成分現像剤の交換は、現像容器Ｖのカートリッジ装着部２７に着脱自在に装着される現像剤カートリッジＫを用いて行われる。
現像剤カートリッジＫは、現像容器Ｖが第１停止位置（現像位置）Ｐ1に有るときに挿入される。すなわち、図５、図８に示す現像剤カートリッジＫを、開閉蓋１８，２０によりカートリッジ側現像剤回収口１５ａおよびカートリッジ側連通口１６ａを閉塞した状態で、図３のカートリッジ装着用開口Ｆ２aおよびカートリッジ着脱用開口４ａから現像容器Ｖのカートリッジ装着部２７（図５Ａ参照）に挿入する。
現像剤カートリッジＫをカートリッジ装着部２７（図５Ａ、図８参照）に挿入した時の現像容器側現像剤回収口３０とカートリッジ側現像剤回収口１５ａとの位置関係は図１０Ａで示されており、また、現像容器側連通口３１とカートリッジ側連通口１６ａとの位置関係は図１１Ａで示されている。
【００５２】
図１０Ａおよび図１１Ａの状態で現像剤カートリッジＫを反時計方向に回転させると、開閉蓋１８，２０は回転しないが、現像剤カートリッジＫの円筒部材１５，１６およびレール部材１７，１９（図５参照）はカートリッジ装着部２７内で回転する。このとき、前記図１０Ａおよび図１１Ａの状態から図１０Ｂおよび図１１Ｂの状態となり、カートリッジ側現像剤回収口１５ａは現像容器側現像剤回収口３０に接続し、カートリッジ側連通口１６ａは現像容器側連通口３１に接続する。
現像剤カートリッジＫは、図１０Ｂの状態で使用されるが、この現像剤カートリッジＫが図２の第３停止位置に回転移動すると、現像容器Ｖの第２の現像剤溜まり３７内の現像剤は、現像容器側現像剤回収口３０およびカートリッジ側現像剤回収口１５ａを通って、現像剤カートリッジＫの現像剤回収室１１ａ内に流入する。この現像剤回収室１１ａ内に回収された現像剤は、現像剤カートリッジＫが図２の第１停止位置（現像位置）Ｐ１に回転移動すると、再び、現像容器Ｖの第２の現像剤溜まり３７内に戻される。
【００５３】
すなわち、ロータリ式現像装置Ｇが回転する度に、現像剤カートリッジＫの現像剤回収室１１ａと現像容器Ｖの第２の現像剤溜まり３７との間で現像剤が流動を繰り返す。
このため、新規現像剤カートリッジＫを現像容器Ｖに装着したときには、前記白色シート１５ｃ（図５Ｂ参照）は、入射した光を多量に反射するが、装着してからロータリ式現像装置Ｇが何度か回転すると表面が汚れて、反射光量が減少する。したがって、内部観察用窓１５ｂ（図５Ｂ参照）を通して白色シート１５ｃからの反射光量をカートリッジセンサ（図示せず）により検出することにより、各現像器ＧＹ，ＧＭ，ＧＣ，ＧＫに装着された現像剤カートリッジＫが新規か否か判別することができる。
【００５４】
図１１Ｂ、図１２において、現像剤カートリッジＫの１１ｂ（図８、図１１Ｂ参照）内の現像剤は、カートリッジ容器内攪拌部材２２の攪拌によりカートリッジ側連通口１６ａ、現像容器側連通口３１を通って、補給現像剤搬送孔３８に補給され、補給現像剤搬送部材Ｒ３により搬送されて現像剤補給口４１（図９Ａ、図１２参照）から現像容器Ｖの前記第１および第２現像材溜まり３６，３７の接続部Ｆ（図１２参照）に供給される。
【００５５】
図１３は現像器支持部材の移動により前記現像器が現像位置から離れるときに前記フレーム側現像剤補給ギヤに噛み合っている前記現像器側現像剤補給ギヤが前記フレーム側現像剤補給ギヤの抵抗により現像剤補給動作時と逆方向に回転する状態を示す図である。
図１４は現像器支持部材の移動に伴って前記現像器が現像位置から離れるときに前記フレーム側抵抗部材に接触する前記現像器側現像剤補給ギヤが前記フレーム側抵抗部材の抵抗により現像剤補給動作時と逆方向に回転する状態を示す図である。
図４に示すように、現像位置に停止している現像器ＧＹ（ＧＭ，ＧＣ，ＧＫ）の現像器側現像剤補給ギヤＧ１２〜Ｇ１４のギヤＧ１４は、フレーム側現像剤補給ギヤＧ５により現像剤補給方向（図４で反時計方向）の回転力を伝達される。
【００５６】
図１３において、現像位置に停止している現像器の現像動作が終了すると前記フレーム側現像剤補給ギヤＧ５の回転が停止される。その状態で、前記現像器支持部材（Ｇａ，１〜４）が図１３の矢印Ａ方向に回転すると、現像器支持部材（Ｇａ，１〜４）の矢印Ａ方向の回転移動に伴って前記現像器が現像位置から離れるときに前記フレーム側現像剤補給ギヤＧ５に噛み合っている前記現像器側現像剤補給ギヤＧ１４が前記フレーム側現像剤補給ギヤＧ５の抵抗により現像剤補給動作時と逆方向（図１３で時計方向）に回転する。
このとき、補給現像剤搬送部材Ｒ３が現像剤補給時とは逆回転するので、現像剤補給口４１の周囲に溜まっていた現像剤が補給方向とは反対方向に搬送される。このため、現像器の移動時に現像剤補給口４１の周囲に溜まっていた現像剤が現像容器内に流入することが防止される。
【００５７】
図１４において、現像器支持部材（Ｇａ，１〜４）の矢印Ａ方向の回転移動に伴って前記現像器が前記現像位置から離れて移動するときにその現像器の現像器側現像剤補給ギヤＧ１４がロール状のフレーム側抵抗部材５に摩擦接触する。前記摩擦接触した現像器側現像剤補給ギヤＧ１４はフレーム側抵抗部材５の抵抗により現像剤補給動作時と逆方向（図１４で時計方向）に回転する。
このときも、補給現像剤搬送部材Ｒ３が現像剤補給時とは逆回転するので、現像剤補給口４１の周囲に溜まっていた現像剤が補給方向とは反対方向に搬送される。このため、現像器の移動時に現像剤補給口４１の周囲に溜まっていた現像剤が現像容器内に流入することが防止される。
【００５８】
（変更例）
以上、本発明の実施例を詳述したが、本発明は、前記実施例に限定されるものではなく、特許請求の範囲に記載された本発明の要旨の範囲内で、種々の小設計変更を行うことが可能である。次に、本発明の変更例を例示する。
（Ｈ01）本発明はロータリ式現像装置以外の現像装置、例えば、タンデム型画像形成装置またはカラーでは無くモノクロの画像形成装置の移動式現像装置にも適用することが可能である。
（Ｈ02）本発明は画像形成装置本体に支持された現像剤補給容器から補給用現像剤を現像器の現像剤補給口に搬送するように構成した画像形成装置にも適用可能である。
（Ｈ03）本発明は一成分現像剤を使用する現像装置にも適用可能である。その場合、現像剤カートリッジＫ内に収容する補給用現像剤は２成分現像剤では無く、一成分現像剤である。
（Ｈ04）本発明は、現像容器に着脱可能な現像剤カートリッジを持たずに、現像器を丸ごと交換する画像形成装置に対しても適用することができる。
（Ｈ05）本発明は、現像器ＧＹ，ＧＭ，ＧＣ，ＧＫが現像位置から離れる前に前記フレーム側現像剤補給ギヤＧ５を現像剤補給方向の回転とは逆回転させることにより、現像剤補給口４１の周囲に溜まった現像剤を現像剤補給口４１から離れた位置に移動させるように構成することが可能である。
【００５９】
【発明の効果】
前述の本発明は、下記の効果を奏することができる。
（Ｅ01）現像器が現像位置と離隔位置との間で移動する移動式現像装置において、現像位置から離隔位置に移動するときに、現像剤補給口から現像容器内への現像剤のこぼれ落ち（流入）が発生しないようにすることができる。
【図面の簡単な説明】
【図１】  図１は本発明の実施例の画像形成装置の正断面図である。
【図２】  図２は前記図１に示す実施例１で使用するロータリ式の現像装置が現像位置に停止した状態の拡大正面断面図である。
【図３】  図３は同実施例１の現像装置の平面図である。
【図４】  図４は現像位置に停止した現像器の現像器側現像剤補給ギヤと噛み合う位置に保持されたフレーム側現像剤補給ギヤおよび現像位置から移動するときに現像器の現像器側現像剤補給ギヤと摩擦接触する摩擦部材とを示す図で、前記図３のIＶ−IＶ線断面図である。
【図５】  図５は同実施例１で使用する現像容器とその現像容器に着脱自在に装着される現像剤カートリッジを示す図で、図５Ａは分解斜視図、図５Ｂは前記図５ＡのＶＢ−ＶＢ線断面図である。
【図６】  図６は現像剤カートリッジの端面図である。
【図７】  図７は現像容器に設けた現像剤カートリッジ装着部の要部説明図である。
【図８】  図８は現像剤カートリッジを現像容器の現像剤カートリッジ装着部に装着する状態の説明図で、図８Ａは図９ＡのＶIIIＡ−ＶIIIＡ線断面図で、図８Ｂは前記図８Ａの矢印ＶIIIＢで示す部分の拡大図である。
【図９】  図９は現像器の説明図で、図９Ａは前記図５ＡのIＸＡ−IＸＡ線断面図、図９Ｂは前記図３のIＸＢ−IＸＢ線断面図である。
【図１０】  図１０は現像剤カートリッジを現像容器の現像剤カートリッジ装着部に挿入したときの説明図で、図１０Ａは前記図５ＡのＸＡ−ＸＡ線断面図、図１０Ｂは図１０Ａの現像剤カートリッジを時計方向に回転させた状態を示す図である。
【図１１】  図１１は現像剤カートリッジを現像容器の現像剤カートリッジ装着部に挿入したときの説明図で、図１１Ａは前記図５ＡのＸIＡ−ＸIＡ線断面図、図１１Ｂは図１１Ａの現像剤カートリッジを時計方向に回転させた状態を示す図である。
【図１２】  図１２は前記図９ＡのＸII−ＸII線断面図である。
【図１３】  図１３は現像器支持部材の移動により前記現像器が現像位置から離れるときに前記フレーム側現像剤補給ギヤに噛み合っている前記現像器側現像剤補給ギヤが前記フレーム側現像剤補給ギヤの抵抗により現像剤補給動作時と逆方向に回転する状態を示す図である。
【図１４】  図１４は現像器支持部材の移動に伴って前記現像器が現像位置から離れるときに前記フレーム側抵抗部材に接触する前記現像器側現像剤補給ギヤが前記フレーム側抵抗部材の抵抗により現像剤補給動作時と逆方向に回転する状態を示す図である。
【符号の説明】
Ｆ１…後側固定フレーム、Ｆ２…前側固定フレーム、Ｇ５…フレーム側現像剤補給ギヤ、Ｇ１４…現像器側現像剤補給ギヤ、Ｇａ…回転軸、ＧＹ，ＧＭ，ＧＣ，ＧＫ…現像器、Ｋ…現像剤カートリッジ、ＰＲ…像担持体、Ｑ２…現像領域、Ｒ０…現像ロール、Ｒ１，Ｒ２…現像容器内攪拌部材、Ｒ３…現像剤補給用回転部材、ＲＯＳ…潜像形成装置、Ｖ…現像容器、
１ａ，２ａ…現像器装着部、５…フレーム側抵抗部材、１１…カートリッジ容器、２２…カートリッジ容器内攪拌部材、４１…現像剤補給口、
（Ｇａ，１〜４）…現像器支持部材。
【図１】
0003885439.tif 000002
【図２】
0003885439.tif 000003
【図３】
0003885439.tif 000004
【図４】
0003885439.tif 000005
【図５】
0003885439.tif 000006
【図６】
0003885439.tif 000007
【図７】
0003885439.tif 000008
【図８】
0003885439.tif 000009
【図９】
0003885439.tif 000010
【図１０】
0003885439.tif 000011
【図１１】
0003885439.tif 000012
【図１２】
0003885439.tif 000013
【図１３】
0003885439.tif 000014
【図１４】
0003885439.tif 000015